【事件の表示】
　特願２０１３−２１９６４４「電子写真感光体，電子写真感光体の製造方法，プロセスカートリッジおよび電子写真装置」拒絶査定不服審判事件〔平成２６年１０月２日出願公開，特開２０１４−１８６２９６〕について，次のとおり審決する。
【結　論】
　本件審判の請求は，成り立たない。
【理　由】
第１　事案の概要
　１　手続等の経緯
　特願２０１３−２１９６４４号（以下「本件出願」という。）は，平成２５年１０月２２日（優先権主張　平成２４年１１月３０日，平成２５年２月１９日）の出願であって，その手続等の経緯の概要は，以下のとおりである。
平成２８年１０月２０日付け：手続補正書
平成２９年１０月１７日付け：拒絶理由通知書
平成２９年１２月２２日付け：意見書
平成２９年１２月２２日付け：手続補正書
平成３０年　１月３０日付け：拒絶査定（以下「原査定」という。）
平成３０年　５月　２日付け：審判請求書
　なお，審判請求書は平成３０年６月１４日付け手続補正書により補正されている。
　
　２　本願発明
　本件出願の請求項４に係る発明は，平成２９年１２月２２日付け手続補正書によって補正された特許請求の範囲の請求項４に記載された事項によって特定されるとおりの，次のものである（以下「本願発明」という。）。
「　支持体，下引き層，および，感光層をこの順に有する電子写真感光体において，
　該下引き層が，
　　シランカップリング剤で表面処理された金属酸化物粒子，
　　結着樹脂，ならびに，
　オクチル酸亜鉛，ナフテン酸亜鉛，およびサリチル酸亜鉛から選択される有機酸金属塩を含有し，
　該下引き層に含有される，該有機酸金属塩の含有量と該金属酸化物粒子の含有量の比率（有機酸金属塩／金属酸化物粒子）が，１／２００以上２／１０以下（質量比）であることを特徴とする電子写真感光体。」
　
　３　原査定の拒絶の理由
　原査定の拒絶の理由は，概略，本願発明は，その最先の優先権主張の日（以下「本件優先日」という。）前に日本国内又は外国において頒布された刊行物である引用文献３に記載された発明及び周知技術に基づいて，本件優先日前にその発明の属する技術の分野における通常の知識を有する者（以下「当業者」という。）が容易に発明をすることができたものであるから，特許法２９条２項の規定により特許を受けることができない，という理由を含むものである。
引用文献３：特開２００７−１０２２４９号公報
引用文献５：特開２００５−１０６６２号公報
　なお，引用文献５は周知技術を例示する文献として挙げられたものである。
　
第２　当合議体の判断
　１　引用文献の記載及び引用発明
　(1) 引用文献３の記載
　原査定の拒絶の理由において引用された引用文献３は，本件優先日前に日本国内又は外国において頒布された刊行物であるところ，そこには，以下の記載がある。なお，引用文献３には「第１の群の本発明」と「第２の群の本発明」が記載されており，本願発明に関係するのは後者であるため，後者に関する記載を摘記する。また，下線は当合議体が付したものであり，引用発明の認定や判断等に活用した箇所を示す。
　ア　「【技術分野】
【０００１】
　本発明は，複写機，プリンター等に用いる電子写真感光体及びこれを用いた画像形成装置に関し，詳しくは環境安定性に優れた高耐久性の電子写真感光体及びこれを用いた画像形成装置に関し，さらに詳しくは…（省略）…金属石鹸を含有する中間層を導電性支持体上に有することにより長期間保存安定性に優れた電子写真感光体並びにこれらを用いた画像形成装置に関する。
【背景技術】
【０００２】
…（省略）…
【０００５】
　一方，従来から電子写真感光体の支持体と感光層との間に中間層を設けることによりその物性の改善を図ることが試みられており，例えば特許文献８（特開平５−３１３３９８号公報）には，中間層にチタネート系カップリング剤を含有させることで，分散性の向上，厚膜化による，温湿度の影響を受けない電子写真感光体が得られることが開示されている。
　また，特許文献９：特開平６−２３６０６２号公報，特許文献１０：特開平７−２７１０７８号公報，特許文献１１：特開平８−１６６６７９号公報，特許文献１２：特開平９−８０７８７号公報，特許文献１３：特開平９−８０７８８号公報，特許文献１４：特開平９−８０７８９号公報等には，中間層にシランカップリング剤，有機金属化合物を含有させることで，上記と同様な効果を持たせた電子写真感光体を得ることが開示されている。
【０００６】
　しかし，特許文献８（特開平５−３１３３９８号公報）に記載のチタネート系カップリング剤を用いた場合では，高温高湿環境下に感光体を長期間保存すると，帯電性の低下，残留電位の上昇が起こってしまう。
…（省略）…
【発明が解決しようとする課題】
【０００８】
…（省略）…本発明の第２の目的は，上記従来技術の問題点に鑑み，比較的単純な構造の脂肪酸金属塩（金属石鹸）を適量中間層に添加することで，チタネート系カップリング剤と同様な分散性を向上させる効果をもち，しかも，長期間保存においても上記静電特性の劣化が小さい感光体，及びこれを用いた画像形成装置を提供することにある。」
　
　イ　「【課題を解決するための手段】
【０００９】
…（省略）…
【００１０】
…（省略）…我々は，上記課題に関する検討の過程で，比較的単純な構造の脂肪酸金属塩（金属石鹸）を適量中間層に添加することにより，意外にも，チタネート系カップリング剤と同様な分散性を向上させる効果をもち，しかも，長期間保存においても上記静電特性の劣化が小さい感光体が得られることを見い出し，これに基いて鋭意検討の結果，第２の群の本発明に到達した。
…（省略）…
【００１３】
［第２の群の本発明］
　また上記第２の目的は，本発明の（８）「導電性支持体と感光層との間に顔料と結着樹脂とを主成分とした中間層を設けてなる電子写真感光体において，該中間層の顔料（Ｐ）と結着樹脂（Ｒ）との比率Ｐ／Ｒが体積比で１／１乃至３／１の範囲であり，かつ該中間層中に金属石鹸を含有することを特徴とする電子写真感光体」，
（９）「前記金属石鹸がオクチル酸塩であることを特徴とする前記第（８）項に記載の電子写真感光体」，
（１０）「前記金属石鹸が該中間層中の顔料（Ｐ）に対して０．１重量％乃至５重量％であることを特徴とする前記第（８）項または第（９）項に記載の電子写真感光体」，
（１１）「前記顔料（Ｐ）が酸化チタンであることを特徴とする前記第（８）項に記載の電子写真感光体」，
…（省略）…
（１４）「前記酸化チタンの純度が９９％以上であることを特徴とする前記第（８）項，第（１１）項，第（１２）項又は第（１３）項のいずれか１に記載の電子写真感光体」により達成される。
…（省略）…
【発明の効果】
【００１５】
…（省略）…第２の群の本発明においては，前記第（８）項の金属石鹸を添加することで，高温高湿下１２ヶ月保存後においても，繰り返し疲労による帯電性や残留電位の劣化が少なく，安定性に優れた電子写真感光体を形成でき，前記第（９）項のように，非常に単純な構造であるオクチル酸塩（直鎖状金属塩）を添加することで，より高い効果が得られ，前記第（１０）項のように，金属石鹸の添加量を顔料に対して０．１重量％乃至５重量％とすることで，より高い効果が得られ，前記第（１１）項のように，顔料を酸化チタンとすることで，より高い効果が得られ，…（省略）…前記第（１４）項のように，顔料の酸化チタンの純度を９９％以上とすることで，高温高湿下での繰り返し疲労による帯電性や残留電位の劣化が小さく，安定性に優れた電子写真感光体を形成できる。」
　
　ウ　「【発明を実施するための最良の形態】
【００１６】
　以下，図面を用いて本発明を詳細に説明する。…（省略）…図４は第２の群の本発明を適用して導電性支持体（１１）上に中間層（１３）を介在させた層構成のものである。
…（省略）…
【００６５】
　次に［第２の群の本発明］について詳細に説明する。
　図４に示されるように，第２の群の本発明においては，導電性支持体（１１）上に，金属石鹸を含有する中間層（１３）を介して感光層が設けられる。
　第２の群の本発明に用いる金属石鹸としては，例えば，オクチル酸，ステアリン酸，ラウリン酸，ナフテン酸等の脂肪酸のＺｎ，Ｃｏ，Ｍｎ，Ｎｉ，Ｆｅ，Ｐｂ，Ｃｕ，Ｓｎ，Ａｌ，Ｍｇ，Ｃａ，Ｂａ，Ｌｉの塩などが挙げられるが，顔料の分散性がより良好な，鎖状の脂肪酸が好ましい。また，
第２の群の本発明に用いる金属石鹸は，顔料に対して０．１重量％乃至５重量％の範囲が好ましく
【００６６】
　第２の群の本発明における中間層に分散する顔料としては可視光及び近赤外光に殆ど吸収のない，白色またはこれに近いものが，感光体の高感度化の面から見て望ましい。このような顔料として，例えば，無機質の酸化チタン，亜鉛華，硫化亜鉛，鉛白，リトポンなど白色顔料，アルミナ，炭酸カルシウム，硫酸バリウムなどの体質顔料などが挙げられる。特にレーザ光のような可干渉光で感光体に書き込みを行なう場合には，モアレの発生を防止するために，拡散反射率の大きな白色顔料を用いることが良く，酸化チタンが最適である。
…（省略）…
【００６８】
　またさらに，この酸化チタンは吸湿性がなく環境変動の少ないものが望ましい。即ち，酸化チタン顔料の中には不純物として，Ｎａ２Ｏ，Ｋ２Ｏのような吸湿性のものがあり，これが高湿時に吸湿して感光体特性を劣化させる原因となっている。したがって，この型の酸化チタン顔料の純度は９９．０重量％以上が望ましい。
【００６９】
　第２の群の本発明における中間層の樹脂としては適宜のものを用いることができるが，その上に感光層を溶剤で塗布することを考え合わせると，一般の有機溶剤に対して耐溶剤性の高い樹脂が望ましい。このような樹脂としてはポリビニルアルコール，カゼイン，ポリアクリル酸ナトリウム等の水溶性樹脂，共重合ナイロン，メトキシメチル化ナイロン等のアルコール可溶性樹脂，ポリウレタン，メラミン樹脂，エポキシ樹脂等の三次元網目構造を形成する硬化型樹脂などが挙げられる。
【００７０】
　第２の群の本発明の電子写真感光体の感光層は電荷発生層，電荷輸送層を組み合わせて，単層型もしくは，二つ以上の層からなる機能分離型をとることができる。
…（省略）…
【００８１】
　第２の群の本発明の電子写真感光体に用いられる導電性支持体としては，アルミニウム，黄銅，ステンレス，ニッケル等の金属ドラム及びシート，ポリエチレンテレフタレート，ポリプロピレン，ナイロン，紙等の材料にアルミニウム，ニッケルなどの金属を蒸着したり，ラミネート，または導電性塗料を塗工したもの，カーボン等の導電性顔料を分散したプラスチックのドラム及びシートなどが挙げられる。」
　
　エ　「【実施例】
【００８２】
…（省略）…
【０１２３】
［第２の群の本発明について］
　次に，第２の群の本発明を実施例によって具体的に説明する。
実施例３３
　
アルキド樹脂
１８重量％とメラミン樹脂
４重量％と
ナフテン酸亜鉛
０．６重量％をメチルエチルケトン
３０重量％に溶解し，これに純度９９．７％の酸化チタン微粉末
６０重量％を加え
ボールミルで
分散し
中間層用塗工液を作成し
アルミニウムドラムに浸漬塗布し，
乾燥し
厚さ１０μｍの中間層を形成し
【０１２４】
　
次に
厚
０．２μｍの電荷発生層を形成し
【０１２５】
【化２６】
【０１２６】
　
次に，
厚さ２５μｍの電荷輸送層を形成し
【０１２７】
【化２７】
【０１２８】
実施例３４
　実施例３３
において，ナフテン酸亜鉛の代わりにオクチル酸亜鉛
を用いた以外は，
と同様にして
電子写真感光体
作成した
【０１２９】
実施例３５
　実施例３３において，中間層中への金属石鹸の添加量を０．１２重量％にした以外は，実施例３３と同様にして実施例３５の電子写真感光体を作成した。
【０１３０】
実施例３６
　実施例３３において，中間層中への金属石鹸の添加量を３重量％にした以外は，実施例３３と同様にして実施例３６の電子写真感光体を作成した。
【０１３１】
実施例３７
　実施例３３において，中間層中への金属石鹸の添加量を０．０３重量％にした以外は，実施例３３と同様にして実施例３７の電子写真感光体を作成した。
【０１３２】
実施例３８
　実施例３３において，中間層中への金属石鹸の添加量を４．８重量％にした以外は，実施例３３と同様にして実施例３８の電子写真感光体を作成した。
…（省略）…
【０１４０】
　以上のようにし
て作られた電子写真感光体
３０℃，８０％ＲＨの条件下で１２ヶ月暗所保存し，その後，２０℃，５０％ＲＨの環境において，
普通紙複写機
初期における地肌汚れ
暗部電位ＶＤ（Ｖ）
明部電位ＶＬ（Ｖ）を評価した
【０１４１】
　
その後，そのままの環境で
強制疲労をかけた直後の
地肌汚れ
暗部電位ＶＤ’（Ｖ）
明部電位ＶＬ’（Ｖ）を初期と同様に評価した
【０１４２】
　地肌汚れの評価は複写画像をルーペで観察し，
１ｃｍ
２
あたりの０．０５ｍｍ以上の黒斑点の個数
が１個未満
【０１４３】
【表２】
＊）チタネート系カップリング剤添加量（ｗｔ％）
【０１４４】
　
このように，
疲労後においても，良好な帯電性，残留電位，画像が得られ
【０１４５】
実施例４２
　実施例３３において，中間層中の酸化チタン微粉末を純度９７．０％の酸化チタン微粉末〔ＪＲ（帝国化工製）〕に変えた以外は実施例３３と同様にして実施例４２の電子写真感光体を作成した。
【０１４６】
実施例４３
　実施例３４において，中間層中の酸化チタン微粉末を純度９７．０％の酸化チタン微粉末〔ＪＲ（帝国化工製）〕に変えた以外は実施例３４と同様にして実施例４３の電子写真感光体を作成した。
【０１４７】
　このようにして得られた実施例４２，４３の感光体を実施例３３，３４の感光体とともに
３０℃，８０％ＲＨの条件下で１２ヶ月暗所保存し，その後今度は３０℃，８０％ＲＨの環境下で
同様な評価を行なった
【０１４８】
【表３】
【０１４９】
　
このように，
高温高湿条件下の疲労後においても，良好な帯電性，残留電位，画像が得られ
…（省略）…
【０１５６】
　このように，第２の群の本発明において中間層中の顔料の酸化チタンと酸化スズの比を実施例の範囲とすることで，低温低湿条件下の疲労後においても，良好な帯電性，残留電位，画像が得られる。」
　
　オ　図４
　
　(2) 引用発明
　ア　引用発明Ａ
　引用文献３に記載された実施例３３（【０１２３】〜【０１２７】，【０１４０】〜【０１４４】及び【０１４７】〜【０１４９】）からみて，引用文献３には，次の発明が記載されている（以下「引用発明Ａ」という。）。
「　アルキド樹脂１８重量％とメラミン樹脂４重量％とナフテン酸亜鉛０．６重量％をメチルエチルケトン３０重量％に溶解し，これに純度９９．７％の酸化チタン微粉末６０重量％を加えボールミルで分散して中間層用塗工液を作成し，
　中間層用塗工液をアルミニウムドラムに浸漬塗布し，乾燥して厚さ１０μｍの中間層を形成し，
　次に，厚さ０．２μｍの電荷発生層を形成し，
　次に，厚さ２５μｍの電荷輸送層を形成して作られた電子写真感光体であって，
　３０℃，８０％ＲＨの条件下で１２ヶ月暗所保存し，その後，２０℃，５０％ＲＨの環境において，普通紙複写機にて，初期における地肌汚れ，暗部電位ＶＤ（Ｖ）及び明部電位ＶＬ（Ｖ）を評価したところ，「○」（１ｃｍ２あたりの０．０５ｍｍ以上の黒斑点の個数が１個未満），「−８８０Ｖ」及び「−２００Ｖ」であり，その後，そのままの環境で強制疲労をかけた直後の地肌汚れ，暗部電位ＶＤ’（Ｖ）及び明部電位ＶＬ’（Ｖ）を初期と同様に評価したところ，「○」，「−８６５Ｖ」及び「−２２０Ｖ」であり，このように，疲労後においても，良好な帯電性，残留電位，画像が得られており，
　また，
　３０℃，８０％ＲＨの条件下で１２ヶ月暗所保存し，その後今度は３０℃，８０％ＲＨの環境下で同様な評価を行なったところ，初期における地肌汚れ，暗部電位ＶＤ（Ｖ）及び明部電位ＶＬ（Ｖ）が「○」，「−８８０Ｖ」及び「−２００Ｖ」，強制疲労をかけた直後の地肌汚れ，暗部電位ＶＤ’（Ｖ）及び明部電位ＶＬ’（Ｖ）が「○」，「−８５５Ｖ」及び「−２０５Ｖ」であり，このように，高温高湿条件下の疲労後においても，良好な帯電性，残留電位，画像が得られている，
　電子写真感光体。」
　
　イ　引用発明Ｂ
　引用文献３に記載された実施例３４（【０１２８】，【０１４０】〜【０１４４】及び【０１４７】〜【０１４９】）からみて，引用文献３には，次の発明も記載されている（以下「引用発明Ｂ」という。）。
「　引用発明Ａにおいて，ナフテン酸亜鉛の代わりにオクチル酸亜鉛を用いた以外は，同様にして作成した電子写真感光体であって，
　３０℃，８０％ＲＨの条件下で１２ヶ月暗所保存し，その後，２０℃，５０％ＲＨの環境において，普通紙複写機にて，初期における地肌汚れ，暗部電位ＶＤ（Ｖ）及び明部電位ＶＬ（Ｖ）を評価したところ，「○」，「−８８０Ｖ」及び「−２００Ｖ」であり，その後，そのままの環境で強制疲労をかけた直後の地肌汚れ，暗部電位ＶＤ’（Ｖ）及び明部電位ＶＬ’（Ｖ）を初期と同様に評価したところ，「○」，「−８６５Ｖ」及び「−２１０Ｖ」であり，このように，疲労後においても，良好な帯電性，残留電位，画像が得られており，
　また，
　３０℃，８０％ＲＨの条件下で１２ヶ月暗所保存し，その後今度は３０℃，８０％ＲＨの環境下で同様な評価を行なったところ，初期における地肌汚れ，暗部電位ＶＤ（Ｖ）及び明部電位ＶＬ（Ｖ）が「○」，「−８８０Ｖ」及び「−２００Ｖ」，強制疲労をかけた直後の地肌汚れ，暗部電位ＶＤ’（Ｖ）及び明部電位ＶＬ’（Ｖ）が「○」，「−８６０Ｖ」及び「−２０５Ｖ」であり，このように，高温高湿条件下の疲労後においても，良好な帯電性，残留電位，画像が得られている，
　電子写真感光体。」
　
　(3) 引用文献５の記載
　原査定の拒絶の理由において引用された引用文献５は，本件優先日前に頒布された刊行物であるところ，そこには，以下の記載がある。なお，下線は当合議体が付したものであり，周知技術の認定や判断等に活用した箇所を示す。
　ア　「【０００１】
【発明の属する技術分野】
本発明は，複写機，プリンター及びファクシミリ等に用いられる画像形成装置及びプロセスカートリッジに関する。
…（省略）…
【００３５】
【発明の実施の形態】
…（省略）…
【００４８】
次に，電子写真感光体１２の好ましい例について詳述する。
…（省略）…
【００５１】
図２に示す電子写真感光体１２は，導電性支持体１上に中間層５，電荷発生層２，電荷輸送層３が順次積層された構造を有するものである。
…（省略）…
【００５４】
まず，導電性支持体１２について説明する。導電性支持体１２の材質としては，導電性を有するものであれば特に制限されず，例えば，アルミニウム，ニッケル，クロム，ステンレス鋼等の金属類…（省略）…等が挙げられる。
…（省略）…
【００５６】
次に，中間層５について説明する。
中間層５は，微粒子８（金属酸化物微粒子及び／又は表面処理金属酸化物微粒子）及び結着樹脂を含んで構成されるものである。
【００５７】
金属酸化物微粒子としては，例えば，酸化チタン，酸化亜鉛，酸化錫，酸化アルミニウム等が挙げられ，中でも酸化チタン，酸化亜鉛が好ましく，酸化亜鉛が特に好ましい。
【００５８】
また，
表面処理金属酸化物微粒子は，上記金属酸化物微粒子をシランカップリング剤，チタネート系カップリング剤及びアルミネート系カップリング剤からなる群より選択される少なくとも１種のカップリング剤で被覆処理してなるものである。
かかる表面処理金属酸化物微粒子を用いることにより，中間層５の比抵抗及びその環境依存性を容易に且つ確実に制御することができるとともに，感光層４への電荷注入の制御及び電子写真プロセスにおける残留電位の低減の双方を高水準で両立することができ，電子写真感光体特性の環境変動をより十分に低減し，且つ，筋状濃度ムラや黒点による画質欠陥の発生をより十分に抑制することができる傾向がある。
…（省略）…
【００６４】
これらのカップリング剤を用いた被覆処理は，実質的にカップリング剤と反応しない溶媒中にカップリング剤を溶解させた溶液（処理液）に，被覆処理前の金属酸化物微粒子を分散させることにより行うことが好ましい。
…（省略）…
【００６６】
このようにして被覆処理された金属酸化物微粒子について所定の熱処理（焼き付け）を施すことによって，カップリング剤の反応による被膜の形成をより完全なものとすることができる。
…（省略）…
【００７５】
中間層５は，例えば微粒子８と結着樹脂とを所定の溶媒に混合／分散して中間層形成用塗布液を調製し，この中間層形成用塗布液を導電性支持体１上に塗布し，乾燥することによって形成することができる。
…（省略）…
【０２２４】
【発明の効果】
以上説明したように，本発明によれば，レーザビームの本数を数多くできる面発光レーザアレイを用いた場合であっても，電子写真感光体特性の環境変動を低減し，且つ，筋状の濃度ムラや黒点の発生を十分に抑制することができ，形成する画像の高画質化，画像形成速度の高速化及び装置の小型化が容易に実現可能な画像形成装置及びプロセスカートリジを提供することができる。」
　
　イ　図２
　
　２　対比及び判断
　(1) 対比
　本願発明と引用発明Ａを対比すると，以下のとおりである。
　ア　電子写真感光体
　引用発明Ａの「電子写真感光体」は，「中間層用塗工液をアルミニウムドラムに浸漬塗布し，乾燥して厚さ１０μｍの中間層を形成し」，「次に，厚さ０．２μｍの電荷発生層を形成し」，「次に，厚さ２５μｍの電荷輸送層を形成して作られた」ものである。
　ここで，電子写真感光体に関する技術常識を勘案すると，引用発明Ａの「アルミニウムドラム」は，「電子写真感光体」において「支持体」として機能するものと理解される。同様に，引用発明Ａの「中間層」は「下引き層」として，引用発明Ａの「電荷発生層」と「電荷輸送層」を併せたものは「感光層」として機能するものと理解される。また，上記の各層の形成順からみて，引用発明Ａの「電子写真感光体」は，「アルミニウムドラム」，「中間層」，並びに，「電荷発生層」及び「電荷輸送層」をこの順に有するといえる。
　したがって，引用発明Ａの「アルミニウムドラム」，「中間層」，「電荷発生層」と「電荷輸送層」を併せたもの，及び「電子写真感光体」は，それぞれ，本願発明の「支持体」，「下引き層」，「感光層」及び「電子写真感光体」に相当する。また，引用発明Ａの「電子写真感光体」は，本願発明の「電子写真感光体」における，「支持体，下引き層，および，感光層をこの順に有する」という構成を具備する。
　
　イ　下引き層
　引用発明Ａの「中間層」は，「アルキド樹脂１８重量％とメラミン樹脂４重量％とナフテン酸亜鉛０．６重量％をメチルエチルケトン３０重量％に溶解し，これに純度９９．７％の酸化チタン微粉末６０重量％を加えボールミルで分散して中間層用塗工液を作成し」，「中間層用塗工液をアルミニウムドラムに浸漬塗布し，乾燥して」「形成し」てなるものである。
　ここで，引用発明Ａの「中間層用塗工液」における上記の材料からみて，引用発明Ａの「中間層」は，「酸化チタン微粉末」，「アルキド樹脂」及び「メラミン樹脂」，並びに，「ナフテン酸亜鉛」を含有する。また，物質に関する技術常識を勘案すると，引用発明Ａの「酸化チタン微粉末」は，「金属酸化物粒子」に該当する。同様に，引用発明Ａの「ナフテン酸亜鉛」は，「有機酸金属塩」に該当する。そして，電子写真感光体に関する技術常識を勘案すると，引用発明Ａの「アルキド樹脂」及び「メラミン樹脂」は，「中間層」において「結着樹脂」として機能するものと理解される。
　したがって，引用発明Ａの「中間層」と本願発明の「下引き層」は，「金属酸化物粒子」，「結着樹脂，ならびに」，「オクチル酸亜鉛，ナフテン酸亜鉛，およびサリチル酸亜鉛から選択される有機酸金属塩を含有し」という構成において，共通する。
　
　ウ　含有量の比率
　引用発明Ａの「中間層」は，前記イで述べた材料から形成してなる。
　ここで，引用発明Ａの「中間層」に含有される，「ナフテン酸亜鉛」の含有量と「酸化チタン微粉末」の含有量の比率（ナフテン酸亜鉛／酸化チタン微粉末）は，「ナフテン酸亜鉛」の含有量が０．６質量％，「酸化チタン微粉末」の含有量が６０質量％であるから，１／１００（質量比）と計算される。
　したがって，引用発明Ａの「中間層」は，本願発明の「下引き層」における，「該下引き層に含有される，該有機酸金属塩の含有量と該金属酸化物粒子の含有量の比率（有機酸金属塩／金属酸化物粒子）が，１／２００以上２／１０以下（質量比）である」という要件を満たす。
　
　(2) 一致点及び相違点
　ア　一致点
　本願発明と引用発明Ａは，次の構成で一致する。
「　支持体，下引き層，および，感光層をこの順に有する電子写真感光体において，
　該下引き層が，
　　金属酸化物粒子，
　　結着樹脂，ならびに，
　オクチル酸亜鉛，ナフテン酸亜鉛，およびサリチル酸亜鉛から選択される有機酸金属塩を含有し，
　該下引き層に含有される，該有機酸金属塩の含有量と該金属酸化物粒子の含有量の比率（有機酸金属塩／金属酸化物粒子）が，１／２００以上２／１０以下（質量比）である電子写真感光体。」
　
　イ　相違点
　本願発明と引用発明Ａは，次の点で相違する。
（相違点）
　「金属酸化物粒子」が，本願発明は「シランカップリング剤で表面処理された」ものであるのに対して，引用発明Ａは，このように特定されたものではない点。
　
　(3) 判断
　黒点の発生を抑制するために，電子写真感光体の中間層に含有させる金属酸化物粒子として，シランカップリング剤で被覆処理した金属酸化物粒子を用いることは，例えば，引用文献５（特に，【００５１】〜【００５８】の下線部を参照。）に記載されているように，周知技術である。また，引用発明Ａの「電子写真感光体」の「地肌汚れ」は「○」と評価され，実用になるものであるが，黒点による画質欠陥の発生をより十分に抑制することができた方が良いことは，「電子写真感光体」として望まれる性質からみて，明らかである。
　そうしてみると，引用発明Ａにおいて，黒点による画質欠陥の発生をより十分に抑制することを目的として，上記の周知技術を採用することは，当業者が容易に発明をすることができたものである。
　また，このようにしてなる引用発明Ａの「電子写真感光体」は，相違点に係る本願発明の構成を具備したものとなる。
　
　(4) 効果について
　本願発明の効果は，「常温常湿環境下で繰り返し使用した場合の明部電位の変動と，高温高湿環境下で繰り返し使用した場合の明部電位の変動との差が抑制された電子写真感光体…を提供することができる」（【００１２】）というものである。
　しかしながら，引用発明Ａと周知技術を組み合わせてなる「電子写真感光体」は，本願発明の構成を全て具備するものである。そして，引用発明Ａは，もとより，「２０℃，５０％ＲＨ」及び「３０℃，８０％ＲＨ」において，ともに「良好な帯電性，残留電位，画像が得られている」ものである。
　そうしてみると，本願発明の効果は，当業者が期待する範囲を超える顕著な効果であるということはできない。
　
　(5) 引用発明Ｂについて
　引用発明Ａに替えて，引用発明Ｂに基づいて検討しても，同様である。
　
　(6) 審判請求人の主張について
　審判請求人は，審判請求書（平成３０年６月１４日付け手続補正書により補正されたもの）において，概略，引用文献３に触れた当業者が，引用文献５を更に参酌したとしても，依然として，本願発明における第１の技術課題である「繰り返し使用時の電位変動」を見出すことは不可能なことは明らかである，また，当然ながら，本願発明における第１の技術課題を見出していない以上，引用文献３及び引用文献５を参酌して，係る技術課題を解決するための構成の検討を行おうという動機付けが得られるはずがないと主張する。
　しかしながら，本願発明は，上記(3)で述べたとおりの動機付けに基づいて，当業者が容易に発明をすることができたものである。
　
　審判請求人は，平成２９年１２月２２日付け意見書において，概略，本願発明において，特に重要なのは，下引き層（下引き層用塗布液）に含有される，有機酸金属塩の含有量と金属酸化物粒子の含有量の比率（有機酸金属塩／金属酸化物粒子）を特定の範囲（１／２００以上２／１０以下）とする点であるが，係る比率は，「シランカップリング剤で表面処理された金属酸化物粒子」を用いた際に適用することで初めて顕著な効果を奏する特徴であり，「シランカップリング剤で表面処理されていない金属酸化物粒子」を用いた場合には，係る比率を満足しようがしまいが効果に差は生じない，と主張する。
　しかしながら，引用発明Ａ及び引用発明Ｂは，本願発明の「該下引き層に含有される，該有機酸金属塩の含有量と該金属酸化物粒子の含有量の比率（有機酸金属塩／金属酸化物粒子）が，１／２００以上２／１０以下（質量比）である」という要件を満たすものである。
（当合議体注：なお，引用文献３の【００６５】には，「第２の群の本発明に用いる金属石鹸は，顔料に対して０．１重量％乃至５重量％の範囲が好ましく」と記載されている。そうしてみると，引用文献３が示唆する含有量の比率は，下限において，本願発明の範囲を外れるものと評価される。しかしながら，引用文献３の【０１４３】の【表２】の「疲労後地肌汚れ」の欄における，「○」と「△」の付き方に着目すると，金属石鹸の好ましい下限値は，「０．１重量％」ではなく「１％」となる。数値範囲で考えても，本願発明の含有量の比率は，引用文献３の記載が示唆する範囲内のものと考えられる。）
　
　さらにすすんで検討すると，引用文献５の【００５８】には，「表面処理金属酸化物微粒子を用いることにより，中間層５の比抵抗及びその環境依存性を容易に且つ確実に制御することができるとともに，感光層４への電荷注入の制御及び電子写真プロセスにおける残留電位の低減の双方を高水準で両立することができ，電子写真感光体特性の環境変動をより十分に低減し，且つ，筋状濃度ムラや黒点による画質欠陥の発生をより十分に抑制することができる傾向がある」と記載されている。
　審判請求人の主張が，仮に，「シランカップリング剤で表面処理された金属酸化物粒子」と「該下引き層に含有される，該有機酸金属塩の含有量と該金属酸化物粒子の含有量の比率（有機酸金属塩／金属酸化物粒子）が，１／２００以上２／１０以下（質量比）であること」の相乗効果を主張するものであるとしても，そのような効果は，引用文献５の上記の記載からみて，当業者が予想できない顕著な効果ということはできない。
　したがって，審判請求人の主張は採用できない。
　
第３　むすび
　以上のとおり，本願発明は，引用文献３に記載された発明及び周知技術に基づいて，本件優先日前に当業者が容易に発明をすることができたものであるから，特許法２９条２項の規定により特許を受けることができない。
　したがって，他の請求項に係る発明について検討するまでもなく，本件出願は拒絶すべきものである。
　よって，結論のとおり審決する。